(57)【特許請求の範囲】
【請求項１】
所定のエンコード条件でエンコードされ、当該エンコード条件を有する第１の動画ファイルを記憶した記録媒体から、上記エンコード条件を抽出する抽出手段と、
上記抽出されたエンコード条件を記憶する第１の記憶手段と、
上記第１の記憶手段に記憶された上記エンコード条件に従って、記録すべき映像信号及び音声信号をエンコードすることにより第２の動画ファイルを生成するエンコード手段と、
上記生成された第２の動画ファイルを上記記録媒体又は別の記録媒体に格納する格納手段とを備えたことを特徴とする録画装置。
【請求項２】
互いに異なる複数のエンコード条件でそれぞれエンコードされた複数の第１の動画ファイルであって、当該各エンコード条件をそれぞれ有する複数の第１の動画ファイルを記憶した少なくとも１つの記録媒体から、上記各エンコード条件を抽出する抽出手段と、
上記抽出された複数のエンコード条件を記憶する第１の記憶手段と、
上記第１の記憶手段に記憶された複数のエンコード条件のうちの１つを選択し、上記選択されたエンコード条件に従って、記録すべき映像信号及び音声信号をエンコードすることにより第２の動画ファイルを生成するエンコード手段と、
上記生成された第２の動画ファイルを上記少なくとも１つの記録媒体又は別の記録媒体に格納する格納手段とを備えたことを特徴とする録画装置。
【請求項３】
上記エンコード条件によりエンコードされた上記第１及び第２の動画ファイルは所定の再生装置で再生されることを特徴とする請求項１又は２記載の録画装置。
【請求項４】
上記第１の記憶手段は、ユーザによって入力されたエンコード条件をさらに記憶することを特徴とする請求項１乃至３のうちのいずれか１つに記載の録画装置。
【請求項５】
動画ファイルを再生するときの互いに異なる複数の再生環境に応じて、上記映像信号及び上記音声信号に対して所定の処理を実行するときの複数のパラメータをそれぞれ含む複数の再生環境情報を記憶した第２の記憶手段と、
上記複数の再生環境情報のうちの１つを選択する選択手段と、
上記選択された再生環境情報のパラメータに基づいて、上記映像信号及び上記音声信号に対して所定の処理を実行して、処理後の映像信号及び音声信号を生成し、上記生成された映像信号及び音声信号を上記記録すべき映像信号及び音声信号として上記エンコード手段に供給する信号処理手段とをさらに備えたことを特徴とする請求項１乃至４のうちの１つに記載の録画装置。
【請求項６】
上記第２の記憶手段は、ユーザによって入力された再生環境情報を記憶することを特徴とする請求項５記載の録画装置。
【請求項７】
ユーザ嗜好に応じて上記映像信号及び上記音声信号を所定の処理を実行するときの複数のパラメータをそれぞれ含む複数のユーザ嗜好情報を記憶した第３の記憶手段と、
上記複数のユーザ嗜好情報のうちの１つを選択する選択手段と、
上記選択されたユーザ嗜好情報のパラメータに基づいて、上記映像信号及び上記音声信号に対して所定の処理を実行して、処理後の映像信号及び音声信号を生成し、上記生成された映像信号及び音声信号を上記記録すべき映像信号及び音声信号として上記エンコード手段に供給する信号処理手段とをさらに備えたことを特徴とする請求項１乃至６のうちの１つに記載の録画装置。
【請求項８】
上記第３の記憶手段は、ユーザによって入力されたユーザ嗜好情報を記憶することを特徴とする請求項７記載の録画装置。
【発明の詳細な説明】
【技術分野】
【０００１】
本発明は、着脱可能な記録媒体に動画ファイルを記録することができる、録画機能付きテレビジョン装置などの録画装置に関する。
【背景技術】
【０００２】
近年、例えば携帯電話機やＰＤＡ（Personal Digital Assistance：携帯情報端末）などの携帯端末装置又は機器であって、ＭＰＥＧ４等のフォーマットを有する高圧縮で低ビットレートの動画ファイルを再生する機能を有するものが増えてきている。このような再生機能に関しては、家庭でＳＤ（Secure Digital）メモリカード等に記録したＭＰＥＧ４等のフォーマットを有する動画ファイルを、携帯電話機やＰＤＡを用いて屋外で楽しむといった使い方が想定される。有限な容量の記録媒体を有効に活用するために、最適な録画条件（又はエンコード条件）に関するパラメータ値に基づいて録画を行う録画条件設定装置が提案されている（例えば特許文献１参照。）。
【０００３】
【特許文献１】特開２００２−１２５１８５号公報。
【発明の開示】
【発明が解決しようとする課題】
【０００４】
携帯電話機やＰＤＡ等の機器は録画及び再生機能を有しているものや、再生機能のみを有しているもの等様々であり、再生可能なファイルも機器によって異なる。動画ファイルの例として、ＭＰＥＧ４のファイルについて説明する。ＭＰＥＧ４の規格では動画ファイルの最大ビットレートやフレームレート、画素サイズ等の仕様が規定されており、携帯電話機やＰＤＡ等の機器で動画ファイルを再生可能であるかそれとも不可能であるかは、これらの仕様に対応しているか否かによって決まる。そのため、前記特許文献１の技術により録画した動画ファイルをユーザの携帯電話機やＰＤＡで再生できないケースがでてくる。また、前記特許文献１では、録画条件設定情報を取り外し可能な記録媒体に記録する。この情報は、携帯電話機やＰＤＡにとっては無駄な情報であり、また、間違って削除される場合もある。
【０００５】
携帯電話機やＰＤＡはその小型のサイズと携帯性とを特徴としている。ＭＰＥＧ４等のフォーマットを有する動画ファイルの再生機能を有するテレビジョン装置を用いて屋内にてそれら動画ファイルを視聴する場合と比較して、携帯電話機やＰＤＡ等の機器では、視聴する場所も様々なシチュエーションが想定され、小型という観点からしても機器の画質調整や音質調整等の機能は簡略化されており、視聴スタイルは大きく異なる。
【０００６】
現行のＭＰＥＧ４等のフォーマットを有する動画ファイルの録画機能を有するテレビジョン装置等の機器は、それ自体で録画及び再生を行うことを中心的に考慮して録画条件を設定することを前提としている。従って、そのような録画機能付きテレビジョン装置で録画した動画ファイルは、他の携帯端末装置による再生には適していない可能性がある。
【０００７】
本発明は以上の問題点を解決し、携帯端末装置上でユーザの意図した画質及び音量で再生可能な動画ファイルを生成することができる録画装置を提供することにある。
【課題を解決するための手段】
【０００８】
本発明の第１の態様に係る録画装置は、
所定のエンコード条件でエンコードされ、当該エンコード条件を有する第１の動画ファイルを記憶した記録媒体から、上記エンコード条件を抽出する抽出手段と、
上記抽出されたエンコード条件を記憶する第１の記憶手段と、
上記第１の記憶手段に記憶された上記エンコード条件に従って、記録すべき映像信号及び音声信号をエンコードすることにより第２の動画ファイルを生成するエンコード手段と、
上記生成された第２の動画ファイルを上記記録媒体又は別の記録媒体に格納する格納手段とを備えたことを特徴とする。
【０００９】
また、本発明の第２の態様に係る録画装置は、
互いに異なる複数のエンコード条件でそれぞれエンコードされた複数の第１の動画ファイルであって、当該各エンコード条件をそれぞれ有する複数の第１の動画ファイルを記憶した少なくとも１つの記録媒体から、上記各エンコード条件を抽出する抽出手段と、
上記抽出された複数のエンコード条件を記憶する第１の記憶手段と、
上記第１の記憶手段に記憶された複数のエンコード条件のうちの１つを選択し、上記選択されたエンコード条件に従って、記録すべき映像信号及び音声信号をエンコードすることにより第２の動画ファイルを生成するエンコード手段と、
上記生成された第２の動画ファイルを上記少なくとも１つの記録媒体又は別の記録媒体に格納する格納手段とを備えたことを特徴とする。
【００１０】
上記録画装置において、上記エンコード条件によりエンコードされた上記第１及び第２の動画ファイルは所定の再生装置で再生されることを特徴とする。
【００１１】
上記録画装置において、上記第１の記憶手段は、ユーザによって入力されたエンコード条件をさらに記憶することを特徴とする。
【００１２】
上記録画装置は、
動画ファイルを再生するときの互いに異なる複数の再生環境に応じて、上記映像信号及び上記音声信号に対して所定の処理を実行するときの複数のパラメータをそれぞれ含む複数の再生環境情報を記憶した第２の記憶手段と、
上記複数の再生環境情報のうちの１つを選択する選択手段と、
上記選択された再生環境情報のパラメータに基づいて、上記映像信号及び上記音声信号に対して所定の処理を実行して、処理後の映像信号及び音声信号を生成し、上記生成された映像信号及び音声信号を上記記録すべき映像信号及び音声信号として上記エンコード手段に供給する信号処理手段とをさらに備えたことを特徴とする。
【００１３】
上記録画装置において、上記第２の記憶手段は、ユーザによって入力された再生環境情報を記憶することを特徴とする。
【００１４】
上記録画装置は、
ユーザ嗜好に応じて上記映像信号及び上記音声信号を所定の処理を実行するときの複数のパラメータをそれぞれ含む複数のユーザ嗜好情報を記憶した第３の記憶手段と、
上記複数のユーザ嗜好情報のうちの１つを選択する選択手段と、
上記選択されたユーザ嗜好情報のパラメータに基づいて、上記映像信号及び上記音声信号に対して所定の処理を実行して、処理後の映像信号及び音声信号を生成し、上記生成された映像信号及び音声信号を上記記録すべき映像信号及び音声信号として上記エンコード手段に供給する信号処理手段とをさらに備えたことを特徴とする。
【００１５】
上記録画装置において、上記第３の記憶手段は、ユーザによって入力されたユーザ嗜好情報を記憶することを特徴とする。
【発明の効果】
【００１６】
従って、本発明に係る録画装置によれば、屋外において、着脱可能な記録媒体に格納された動画ファイルを携帯電話機やＰＤＡなどの携帯端末装置上で楽しむといった使い方を想定し、使用する機器の仕様に係る最高の性能を利用できるように再生環境やユーザ嗜好に適合した動画ファイルを生成することができるので有用である。本発明によれば、小型のサイズ及び携帯性という携帯電話機やＰＤＡなどの携帯端末装置の特徴を最大限に活かして、再生する機器及び再生環境を録画時に絞り込むことにより、携帯端末装置においてもユーザの意図した画質及び音量で再生可能な動画ファイルを生成する、録画機能付きテレビジョン装置などの録画装置を提供することができる。
【発明を実施するための最良の形態】
【００１７】
第１の実施形態．
図１は本発明の第１の実施形態に係るテレビジョン録画装置１の構成を示すブロック図である。本実施形態に係るテレビジョン録画装置１は、ＰＤＡや携帯電話機などの携帯端末装置２上で再生するための動画ファイルを生成してメモリカード３に記録することができる。テレビジョン録画装置１は、例えば、家庭用の録画機能付きテレビジョン装置としての形態をとってもよい。携帯端末装置２は、動画ファイルの録画機能及び再生機能を有し、それにより、所定のエンコード条件下で動画ファイルを生成してメモリカード３に格納することと、上記エンコード条件下で生成された動画ファイルを再生することとが可能である。
【００１８】
本実施形態に係るテレビジョン録画装置１は、所定のエンコード条件でエンコードされ当該エンコード条件を有する第１の動画ファイルを記憶したメモリカード３からエンコード条件情報を抽出し、抽出されたエンコード条件情報を書き換え可能型ＲＯＭ１６に記憶することを特徴とする。次いで、テレビジョン録画装置１は、書き換え可能型ＲＯＭ１６に記憶されたエンコード条件情報に基づいてエンコード条件を設定し、設定されたエンコード条件に従って、記録すべき映像信号及び音声信号をエンコードすることにより第２の動画ファイルを生成し、生成された第２の動画ファイルをメモリカード３に格納することを特徴とする。
【００１９】
テレビジョン録画装置１のハードウェア構成を、図１を参照して簡単に説明する。図１において、チューナ１２は、アンテナ１１を介して受信されたテレビジョン放送信号を復調し、復調されたテレビジョン放送信号から映像信号を抽出して映像信号処理部１３に出力するとともに、音声信号を抽出して音声信号処理部１４に出力する。映像信号処理部１３は、メモリカード３に記録される動画ファイルのソースを生成するために、チューナ１２からの映像信号に対して所定の前置処理を実行し、同様に、音声信号処理部１４もまた、メモリカード３に記録される動画ファイルのソースを生成するために、チューナ１２からの音声信号に対して所定の前置処理を実行し、これら処理された映像信号及び音声信号は、それぞれマイクロコンピュータ１５に入力される。
【００２０】
マイクロコンピュータ１５にはさらに、書き換え可能型ＲＯＭ１６、ＲＯＭ１７、ＲＡＭ１８、入力装置１９、及びメモリカードインターフェース２１が接続され、マイクロコンピュータ１５はテレビジョン録画装置１の全体の動作を制御する。テレビジョン録画装置１の制御用プログラムはＲＯＭ１７に保存され、マイクロコンピュータ１５はこの制御用プログラムをＲＡＭ１８上で実行する。書き換え可能型ＲＯＭ１６は、例えばＥＥＰＲＯＭであり、メモリカード３に記録される動画ファイルを生成する際のエンコード条件情報（詳細後述）を含むエンコード条件情報テーブル３１を格納して保存する。マイクロコンピュータ１５は、エンコード条件情報テーブル３１に格納されたエンコード条件に従って、映像信号処理部１３によって処理された映像信号と音声信号処理部１４によって処理された音声信号とをＲＡＭ１８上でエンコードすることにより、メモリカード３に記録すべき動画ファイルを生成する。
【００２１】
テレビジョン録画装置１は、入力装置１９を介してユーザによって操作される。処理のために特定のユーザ入力が必要な場合には、マイクロコンピュータ１５は、入力装置１９に接続された入力プロンプト表示部２０上に、ユーザの入力を促すためのプロンプトを表示させる。メモリカードインターフェース２１は、メモリカード３を装着するためのメモリカードソケット２１Ａを備え、メモリカード３へのデータの読み書きを行う。マイクロコンピュータ１５は、メモリカード３内の動画ファイルを再生する際には、当該動画ファイルのデータをメモリカード３からＲＡＭ１８に転送して格納し、制御用プログラムに従ってこのデータを処理し、また、メモリカード３に動画ファイルを記録する際には、ＲＡＭ１８上の動画ファイルのデータをメモリカード３に転送して格納する。
【００２２】
エンコード条件情報テーブル３１は、複数の異なる携帯端末装置２に関連付けてエンコード条件情報をそれぞれ保持する。エンコード条件情報テーブル３１上の各エンコード条件情報は、ある携帯端末装置２によって再生可能な動画ファイルに係るパラメータ値の組である。エンコード条件情報は、一例としては、動画ファイルを再生する携帯電話機やＰＤＡなどの携帯端末装置２を特定する再生機器名と、その携帯端末装置２により再生可能な動画ファイルの最大ビットレート情報、フレームレート情報、サンプリング画素数、音声ビットレート情報、及び音声サンプリング周波数情報とを含む。本実施形態において、エンコード条件情報は、図３を参照して後述するように、携帯端末装置２により録画を行ったときのエンコード条件情報であって、その録画により生成された動画ファイルに含まれたエンコード条件情報から取得される。
【００２３】
テレビジョン録画装置１は、アンテナ１１及びチューナ１２に代えて、テレビジョン放送信号を取得するための他のソース装置を備えていてもよい。テレビジョン録画装置１はまた、処理のために必要なユーザ入力を促すために、入力プロンプト表示部２０上にプロンプトを表示することに代えて、テレビジョン番組を表示するためのディスプレイ装置（図示せず。）上にプロンプトを表示したり、又はスピーカ（図示せず。）を用いて音声により指示を行ったりしてもよい。
【００２４】
図２は、図１のテレビジョン録画装置１によってメモリカード３に記録された動画ファイルを再生する携帯端末装置２の構成を示すブロック図である。図２において、この携帯端末装置２はさらに、それ自体で動画ファイルを生成し（すなわち動画像の撮影及び音声の録音を実行し）、メモリカード３に記録できるようにも構成されている。携帯端末装置２は、（ａ）当該携帯端末装置２全体の動作を制御するＣＰＵ４０と、（ｂ）制御用プログラムが格納されたＲＯＭ４１と、（ｃ）制御用プログラムの実行時に使用されるＲＡＭ４２と、（ｄ）他の付加的なデータを格納するハードディスクメモリ４３と、（ｅ）メモリカード３を装着するためのメモリカードソケット４４Ａを有してメモリカード３へのデータの読み書きを行うメモリカードインターフェース４４と、（ｆ）操作用のキーボード４５と、（ｇ）動画を表示するディスプレイ４６とを備え、これらの構成要素４０，４１，４２，４３，４４，４５及び４６はバス５５によって互いに接続されている。携帯端末装置２はさらに、Ｄ／Ａ変換器４７、増幅器４８、及びスピーカ４９を備え、Ｄ／Ａ変換器４７の入力側はバス５５に接続され、その出力側は増幅器４８を介してスピーカ４９に接続されている。携帯端末装置２はさらに、マイクロホン５０、増幅器５１、及びＡ／Ｄ変換器５２を備え、Ａ／Ｄ変換器５２の入力側には増幅器５１を介してマイクロホン５０が接続され、その出力側はバス５５に接続されている。携帯端末装置２はさらに、ＣＣＤ撮像素子５３及び撮像素子インターフェース５４を備え、撮像素子インターフェース５４の入力側にはＣＣＤ撮像素子５３が接続され、その出力側はバス５５に接続されている。
【００２５】
ＣＰＵ４０は、メモリカード３から動画ファイルを読み出して映像信号と音声信号とを復号化し、映像信号をディスプレイ４６に出力させ、音声信号をＤ／Ａ変換器４７及び増幅器４８を介してスピーカ４９から出力させる。ＣＰＵ４０はまた、ＣＣＤ撮像素子５３によって撮影された動画像を撮像素子インターフェース５４を介して映像信号として取得し、マイクロホン５０によって取得された音声信号を増幅器５１及びＡ／Ｄ変換器５２を介して取得し、取得された映像信号及び音声信号に基づいて所定の形式の動画ファイルを生成して、メモリカード３に記録する。
【００２６】
図３は、図１のテレビジョン録画装置１のマイクロコンピュータ１５によって実行されるエンコード条件情報登録処理を示すフローチャートである。この処理において、テレビジョン録画装置１は、録画機能を有する携帯端末装置２が動画ファイルを生成した際のエンコード条件を取得し、それにより、その携帯端末装置２における再生に適した動画ファイルを生成するためのエンコード条件情報を取得する。図３において、まず、携帯端末装置２で録画された動画ファイルを格納したメモリカード３をユーザがメモリカードソケット２１Ａに挿入すると、マイクロコンピュータ１５はステップＳ１においてこのことを検出する。ステップＳ２において、マイクロコンピュータ１５は、メモリカード３に格納された動画ファイルのデータをＲＡＭ１８に読み込み、動画ファイルのタグ情報を検索する。
【００２７】
ここでタグ情報について説明する。例えばＭＰＥＧ４準拠の携帯電話機やＰＤＡで録画された動画ファイルにおいては、その動画ファイルを録画した機器の名称、最大ビットレート、フレームレート、画素サイズといった情報が、タグ情報として記録されている。テレビジョン録画装置１は、ＲＡＭ１８上に読み込まれた動画ファイルのデータにおいてこのタグ情報を検索することにより、エンコード条件情報を抽出する。動画ファイルの具体的なファイル構造について図６を用いて説明する。図６は、図１のメモリカード３に記録される動画ファイル６０のフォーマットを示す概略図である。動画ファイル６０はＳＯＦ（Start of File）から始まり、ＥＯＦ（End of File）で終わる。動画ファイル６０は複数のタグとデータの組み合わせで構成される。例えば、タグＴ１は機器の名称を表すキーワードであり、実際の機器名称はデータＤ１として記録されている。同様に、例えば、タグＴ２はフレームレートを表すキーワードであり、実際のフレームレートはデータＤ２として記録されている。
【００２８】
再び図３を参照すると、ステップＳ３において、マイクロコンピュータ１５は検索されたタグ情報に基づいて、動画ファイルに含まれたエンコード条件情報を抽出する。次いで、ステップＳ４において、ステップＳ３で抽出されたエンコード条件情報のうちの再生機器名が、書き換え可能型ＲＯＭ１６上のエンコード条件情報テーブル３１にすでに登録されているか否かを判定する。登録されていない場合は、ステップＳ７において、ステップＳ３で抽出されたエンコード条件情報をすべて、書き換え可能型ＲＯＭ１６上のエンコード条件情報テーブル３１に新規に保存する。すでに登録されている場合は、ステップＳ５において、ステップＳ３で抽出されたエンコード条件情報を、その再生機器名に関連付けられたすでに登録されているエンコード条件情報と比較し、次いでステップＳ６において、エンコード条件の各値が最大化されるようにエンコード条件情報テーブル３１を更新する。従って、例えば、ある機器に関して、エンコード条件情報テーブル３１に登録されているエンコード条件に係るパラメータ値よりも大きな値が抽出された場合には、そのパラメータ値を更新するように書き換え可能型ＲＯＭ１６に書き込む。
【００２９】
マイクロコンピュータ１５は、互いに異なるエンコード条件でエンコードされた動画ファイルをそれぞれ格納した複数のメモリカード３についてエンコード条件情報登録処理を繰り返すことにより、複数の異なる携帯端末装置２のためのエンコード条件情報を取得することができる。
【００３０】
図４は、図１のテレビジョン録画装置１のマイクロコンピュータ１５によって実行される録画処理を示すフローチャートである。マイクロコンピュータ１５は、この録画処理に従って動画ファイルをメモリカード３に記録する。図４において、マイクロコンピュータ１５は、ステップＳ１１において、アンテナ１１及びチューナ１２を介して受信されたテレビジョン放送信号をソースとして新規に録画を開始する。次いでステップＳ１２において、入力装置１９を介して入力されたユーザ入力に応答して、この録画処理によってメモリカード３に記録される動画ファイルを再生する予定の機器を選択して、ステップＳ６あるいはステップＳ７で書き換え可能型ＲＯＭ１６上のエンコード条件情報テーブル３１に保存されたエンコード条件情報のうちで、選択された機器に関連付けられたエンコード条件情報を呼び出す。ステップＳ１３において、マイクロコンピュータ１５は、呼び出したエンコード条件情報に基づいてエンコード条件を設定し、この設定されたエンコード条件に従って、録画すべき映像信号及び音声信号をＲＡＭ１８上でエンコードする。ステップＳ１４において、マイクロコンピュータ１５は、エンコードされた動画ファイルを、メモリカードインターフェース２１によりメモリカード３に記録させ、処理を終了する。このメモリカード３は、図３のステップＳ１においてメモリカードスロット２１Ａに挿入されたメモリカード３と同じものであっても、異なるものであってもよい。録画処理の終了後、ユーザはメモリカード３をテレビジョン録画装置１のメモリカードスロット２１Ａから取りはずして携帯端末装置２のメモリカードスロット４４Ａに差し込み、携帯端末装置２において、メモリカード３に記録された動画ファイルを再生する。
【００３１】
以上のように、録画機能及び再生機能を備えた携帯端末装置２に対しては、当該携帯端末装置２により過去に録画された動画ファイルのエンコード条件と同一のエンコード条件でエンコードした動画ファイルを生成してメモリカード３に記録することにより、テレビジョン録画装置１は当該携帯端末装置２で再生可能な動画を生成することができる。
【００３２】
一方、携帯端末装置２が再生専用の装置である場合、その機器自体では録画を行うことができない。従って、携帯端末装置２により再生可能な動画ファイルを生成するためのエンコード条件（すなわち、最大ビットレートやフレームレート、画素サイズ等の特徴）を取得しなければならないとき、前記図３のフローチャートを用いて説明した方法のように携帯端末装置２で録画された動画ファイルからエンコード条件情報を抽出することはできない。このような場合に対処するために、図５を用いて、ユーザ自身にエンコード条件情報を入力させることにより登録する処理を説明する。
【００３３】
図５は、図１のテレビジョン録画装置１のマイクロコンピュータ１５によって実行されるエンコード条件情報入力処理を示すフローチャートである。図５のステップＳ２１において、まず、マイクロコンピュータ１５は、エンコード条件情報の登録を開始し、ステップＳ２２乃至Ｓ２７において、入力装置１９を用いて必要な情報を入力するように入力プロンプト表示部２０を介してユーザに促す。マイクロコンピュータ１５は、ステップＳ２２において、動画ファイルを再生する携帯端末装置２の名称を入力させ、マイクロコンピュータ１５はまた、ステップＳ２３において、その携帯端末装置２により再生可能な動画ファイルの最大ビットレート情報を入力させ、ステップＳ２４において、その携帯端末装置２により再生可能な動画ファイルのフレームレート情報を入力させ、ステップＳ２５において、その携帯端末装置２により再生可能な動画ファイルのサンプリング画素数を入力させ、ステップＳ２６において、その携帯端末装置２により再生可能な動画ファイルの音声ビットレート情報を入力させ、ステップＳ２７において、その携帯端末装置２により再生可能な動画ファイルの音声サンプリング周波数情報を入力させる。マイクロコンピュータ１５は、ステップＳ２８において、以上入力されたエンコード条件情報を書き換え可能型ＲＯＭ１６上のエンコード条件情報テーブル３１に保存する。
【００３４】
以上のように、再生専用の携帯端末装置２に対しては、ユーザが指定したエンコード条件と同一のエンコード条件でエンコードした動画ファイルを生成してメモリカード３に記録することにより、テレビジョン録画装置１は当該携帯端末装置２で再生可能な動画を生成することができる。
【００３５】
本実施形態のテレビジョン録画装置１によれば、小型のサイズ及び携帯性という携帯電話機やＰＤＡ等の携帯端末装置２の特徴を最大限に活かしながら、そのような携帯端末装置２においてもユーザの意図した画質及び音量で再生可能な動画ファイルを生成することができる。
【００３６】
第２の実施形態．
図７は、本発明の第２の実施形態に係るテレビジョン録画装置１の構成を示すブロック図である。第２の実施形態において、第１の実施形態の場合と同様の構成要素については同じ参照番号を付与し、説明を省略する。
【００３７】
第２の実施形態において、第１の実施形態との相違点は以下の通りであり、他の構成は同様である。
（１）書き換え可能型ＲＯＭ１６が、エンコード条件情報テーブル３１に加えて、再生環境情報テーブル３２を保存すること。
（２）マイクロコンピュータ１５が、再生環境情報テーブル３２上の再生環境情報に基づいて、映像信号処理部１３及び音声信号処理部１４の処理動作を制御すること。
【００３８】
本実施形態に係るテレビジョン録画装置１によれば、（ａ）再生環境情報テーブル３２により、動画ファイルを再生するときの互いに異なる複数の再生環境に応じて映像信号及び音声信号に対して所定の処理を実行するときの複数のパラメータをそれぞれ含む複数の再生環境情報を記憶し、（ｂ）入力装置１９により、再生環境情報テーブル３２に記憶された複数の再生環境情報のうちの１つを選択し、（ｃ）映像信号処理部１３及び音声信号処理部１４により、選択された再生環境情報のパラメータに基づいて、映像信号及び音声信号に対して所定の処理を実行して、処理後の映像信号及び音声信号を生成し、生成された映像信号及び音声信号を、記録すべき映像信号及び音声信号としてマイクロコンピュータ１５に供給することを特徴とする。
【００３９】
本実施形態のテレビジョン録画装置１では、再生環境情報テーブル３２を用いることにより、「人ごみ」、「電車の中」、「昼間の屋外」、「夜の公園」などの動画ファイルを再生する際の場所や環境の違いに応じて、色、明るさ、音量などのパラメータを予め最適化させた動画ファイルを生成することができる。
【００４０】
図８は、図７のテレビジョン録画装置１のマイクロコンピュータ１５によって実行される録画処理を示すフローチャートである。この処理は、ユーザが携帯端末装置２を使用する場所（又は再生環境）に適した映像及び音声を含む動画ファイルを生成することを目的とする。マイクロコンピュータ１５は、図８のステップＳ３１において、アンテナ１１及びチューナ１２を介して受信されたテレビジョン放送信号をソースとして、新規に録画を開始する。次いでステップＳ３２において、マイクロコンピュータ１５は、入力装置１９を介したユーザ入力に基づいて、ユーザが携帯端末装置２を使用する場所を選択することにより１つの再生環境情報を選択し、選択された再生環境情報を再生環境情報テーブル３２から読み出す。
【００４１】
図９を参照して、実施例の再生環境情報テーブル３２について説明する。図９は、図７の再生環境情報テーブル３２上に記録された再生環境情報のデータの一例を示す概略図である。本明細書では、再生環境と、色、明るさ、音量などの映像及び音声に係るパラメータとの組み合わせを再生環境情報という。再生環境情報テーブル３２では、再生環境（すなわち動画ファイルを再生する場所）と画質及び音質のパラメータとが連動している。例えば、再生環境として「人ごみ」を選択した場合、明るさ（ピクチャ）を「＋１０」に設定し、黒レベルを「０」に設定し、色の濃さを「＋５」に設定し、色あいを「標準」に設定し、シャープネスを「−５」に設定し、色温度を「中」に設定し、音量を「１７」に設定し、低音を「＋３」に設定し、高音を「＋３」に設定する。再生環境として、これに代えて「電車の中」又は「夜の公園」が選択されると、図９に示すように選択結果に連動して異なる画質及び音質のパラメータが設定される。これらの再生環境情報は、書き換え可能型ＲＯＭ１６に予め保持されていてもよく、又は、ユーザが入力装置１９を用いて書き換え可能型ＲＯＭ１６に追加したり編集したりしてもよい。図９に示した再生環境情報は単なる例示であり、再生環境としてさらに別の項目が使用されてもよく、また、別のパラメータが使用されてもよい。
【００４２】
再び図８を参照すると、ステップＳ３３において、マイクロコンピュータ１５は、選択された再生環境情報のパラメータに従って映像信号処理部１３と音声信号処理部１４の設定を変更する。この設定変更により、チューナ１２から出力される標準的な映像や標準的な音声が、再生環境を想定したユーザの好みにカスタマイズされることとなる。以下、ステップＳ３４乃至Ｓ３６は、図４のステップＳ１２乃至Ｓ１４と同様に実行される。録画処理の終了後、ユーザはメモリカード３をテレビジョン録画装置１のメモリカードスロット２１Ａから取りはずして携帯端末装置２のメモリカードスロット４４Ａに差し込み、携帯端末装置２において、メモリカード３に記録された動画ファイルを再生する。
【００４３】
本実施形態のテレビジョン録画装置１によれば、小型のサイズ及び携帯性という携帯電話機やＰＤＡなどの携帯端末装置２の特徴を最大限に活かしながら、再生する機器及び再生環境に合わせた録画を行うことにより、携帯端末装置２においてもユーザの意図した画質及び音量で再生可能な動画ファイルを生成することができる。
【００４４】
第３の実施形態．
図１０は本発明の第３の実施形態に係るテレビジョン録画装置１の構成を示すブロック図である。第３の実施形態において、第１及び第２の実施形態の場合と同様の構成要素については、同じ参照番号を付与し、説明を省略する。
【００４５】
第３の実施形態において、第２の実施形態との相違点は、書き換え可能型ＲＯＭ１６がエンコード条件情報テーブル３１及び再生環境情報テーブル３２に加えてユーザ嗜好情報テーブル３３を保存することであり、他の構成は同様である。
【００４６】
本実施形態に係るテレビジョン録画装置１によれば、（ａ）ユーザ嗜好情報テーブル３３により、ユーザ嗜好に応じて映像信号及び音声信号を所定の処理を実行するときの複数のパラメータをそれぞれ含む複数のユーザ嗜好情報を記憶し、（ｂ）入力装置１９により、複数のユーザ嗜好情報のうちの１つを選択し、（ｃ）映像信号処理部１３及び音声信号処理部１４により、選択されたユーザ嗜好情報のパラメータに基づいて、映像信号及び音声信号に対して所定の処理を実行して、処理後の映像信号及び音声信号を生成し、生成された映像信号及び音声信号を、記録すべき映像信号及び音声信号としてマイクロコンピュータ１５に供給することを特徴とする。
【００４７】
本実施形態のテレビジョン録画装置１では、ユーザ嗜好情報テーブル３３を用いることにより、「リラックス風」、「元気はつらつ風」、「セピア風」、「コンサート風」などのユーザの嗜好の違いに応じて、色、明るさ、音量などのパラメータを予め最適化させた動画ファイルを生成することができる。
【００４８】
図１１は、図１０のテレビジョン録画装置１のマイクロコンピュータ１５によって実行される録画処理を示すフローチャートである。この処理は、ユーザ嗜好にカスタマイズした映像及び音声で動画ファイルを生成することを目的とする。マイクロコンピュータ１５は、図１１のステップＳ４１において、アンテナ１１及びチューナ１２を介して受信されたテレビジョン放送信号をソースとして、新規に録画を開始する。次いでステップＳ４２において、マイクロコンピュータ１５は、入力装置１９を介したユーザ入力に基づいて、ユーザの気分に応じたユーザ嗜好情報を選択し、選択されたユーザ嗜好情報をユーザ嗜好情報テーブル３３から読み出す。
【００４９】
図１２を参照して、実施例のユーザ嗜好情報について説明する。図１２は、図１０のユーザ嗜好情報テーブル３３上に記録されたユーザ嗜好情報のデータの一例を示す概略図である。本明細書では、ユーザ嗜好と、色、明るさ、音量などの映像及び音声に係るカスタマイズされたパラメータとの組み合わせをユーザ嗜好情報という。ユーザ嗜好情報テーブル３３では、ユーザ嗜好（すなわち、ユーザが嗜好する感覚）と画質及び音質のパラメータとが連動している。例えば、ユーザ嗜好として「リラックス風」を選択した場合、明るさを「＋１０」に設定し、黒レベルを「０」に設定し、色の濃さを「−５」に設定し、色合いを「淡」に設定し、シャープネスを「−５」に設定し、色温度を「中」に設定し、音量を「１０」に設定し、低音を「−３」に設定し、高音を「−３」に設定する。ユーザ嗜好として、これに代えて「元気はつらつ風」又は「コンサート風」が選択されると、図１２に示すように選択結果に連動して異なる画質及び音質のパラメータが設定される。これらのユーザ嗜好情報は、書き換え可能型ＲＯＭ１６に予め保持されていてもよく、又は、ユーザが入力装置１９を用いて書き換え可能型ＲＯＭ１６に追加したり編集したりしてもよい。図１２に示した再生環境情報は単なる例示であり、ユーザ嗜好としてさらに別の項目が使用されてもよく、また、別のパラメータが使用されてもよい。
【００５０】
再び図１１を参照すると、ステップＳ４３において、マイクロコンピュータ１５は、選択されたユーザ嗜好情報のパラメータに従って映像信号処理部１７と音声信号処理部１８の設定を変更する。この設定変更により、チューナ１２から出力される標準的な映像や標準的な音声が、使用場所を想定したユーザの好みにカスタマイズされることとなる。以下、ステップＳ４４乃至Ｓ４６は、図４のステップＳ１２乃至Ｓ１４と同様に実行される。録画処理の終了後、ユーザはメモリカード３をテレビジョン録画装置１のメモリカードスロット２１Ａから取りはずして携帯端末装置２のメモリカードスロット４４Ａに差し込み、携帯端末装置２において、メモリカード３に記録された動画ファイルを再生する。
【００５１】
本実施形態のテレビジョン録画装置１によれば、小型のサイズ及び携帯性という携帯電話機やＰＤＡなどの携帯端末装置２の特徴を最大限に活かしながら、再生する機器、再生環境及びユーザ嗜好に合わせた録画を行うことにより、携帯端末装置２においてもユーザの意図した画質及び音量で再生可能な動画ファイルを生成することができる。
【産業上の利用可能性】
【００５２】
本発明に係る録画装置は、屋外において、着脱可能な記録媒体に格納された動画ファイルを携帯電話機やＰＤＡなどの携帯端末装置上で楽しむといった使い方を想定し、使用する機器の仕様に係る最高の性能を利用できるように再生環境やユーザ嗜好に適合した動画ファイルを生成することができるので有用である。
【図面の簡単な説明】
【００５３】
【図１】本発明の第１の実施形態に係るテレビジョン録画装置１の構成を示すブロック図である。
【図２】図１のテレビジョン録画装置１によってメモリカード３に記録された動画ファイルを再生する携帯端末装置２の構成を示すブロック図である。
【図３】図１のテレビジョン録画装置１のマイクロコンピュータ１５によって実行されるエンコード条件情報登録処理を示すフローチャートである。
【図４】図１のテレビジョン録画装置１のマイクロコンピュータ１５によって実行される録画処理を示すフローチャートである。
【図５】図１のテレビジョン録画装置１のマイクロコンピュータ１５によって実行されるエンコード条件情報入力処理を示すフローチャートである。
【図６】図１のメモリカード３に記録される動画ファイル６０のフォーマットを示す概略図である。
【図７】本発明の第２の実施形態に係るテレビジョン録画装置１の構成を示すブロック図である。
【図８】図７のテレビジョン録画装置１のマイクロコンピュータ１５によって実行される録画処理を示すフローチャートである。
【図９】図７の再生環境情報テーブル３２上に記録された再生環境情報のデータの一例を示す概略図である。
【図１０】本発明の第３の実施形態に係るテレビジョン録画装置１の構成を示すブロック図である。
【図１１】図１０のテレビジョン録画装置１のマイクロコンピュータ１５によって実行される録画処理を示すフローチャートである。
【図１２】図１０のユーザ嗜好情報テーブル３３上に記録されたユーザ嗜好情報のデータの一例を示す概略図である。
【符号の説明】
【００５４】
１…テレビジョン録画装置、
２…携帯端末装置、
３…メモリカード、
１１…アンテナ、
１２…チューナ、
１３…映像信号処理部、
１４…音声信号処理部、
１５…マイクロコンピュータ、
１６…書き換え可能型ＲＯＭ、
１７，４１…ＲＯＭ、
１８，４２…ＲＡＭ、
１９…入力装置、
２０…入力プロンプト表示部、
２１，４４…メモリカードインターフェース、
２１Ａ，４４Ａ…メモリカードソケット、
３１…エンコード条件情報テーブル、
３２…再生環境情報テーブル、
３３…ユーザ嗜好情報テーブル、
４０…ＣＰＵ、
４３…ハードディスクメモリ、
４５…キーボード、
４６…ディスプレイ、
４７…Ｄ／Ａ変換器、
４８，５１…増幅器、
４９…スピーカ、
５０…マイクロホン、
５２…Ａ／Ｄ変換器、
５３…ＣＣＤ撮像素子、
５４…撮像素子インターフェース、
５５…バス。
【図１】
0004804465.tif 000002
【図２】
0004804465.tif 000003
【図３】
0004804465.tif 000004
【図４】
0004804465.tif 000005
【図５】
0004804465.tif 000006
【図６】
0004804465.tif 000007
【図７】
0004804465.tif 000008
【図８】
0004804465.tif 000009
【図９】
0004804465.tif 000010
【図１０】
0004804465.tif 000011
【図１１】
0004804465.tif 000012
【図１２】
0004804465.tif 000013